(57)【要約】【課題】カルマン渦の発生を低減させて電線の風圧荷重を小さくすることができ、既存の電線に容易に着脱することのできる電線カバーを提供する。【解決手段】筒状に形成され、筒方向に対して直角な断面形状が流線型状に形成してなり、電線４に回転自在に取り付ける。【選択図】  図４
2004206982.tif 000002
【特許請求の範囲】
【請求項１】
筒状に形成され、筒方向に対して直角な断面形状が流線型状に形成してなり、電線に回転自在に取り付けることを特徴とする電線カバー。
【請求項２】
前記電線カバーは、電線に覆い被せる大径部と、先端が尖って形成される鋭角部とからなり、前記大径部の内径が装着する電線の外径と略同一の径にしたものである請求項１に記載の電線カバー。
【請求項３】
前記電線カバーの鋭角部は、該鋭角部を形成する２つの側面が開閉自在に接合して構成したものである請求項２に記載の電線カバー。
【請求項４】
前記電線カバーの大径部の前記鋭角部と反対方向には、該電線カバーの筒方向全域に鋭角突起を形成したことを特徴とする請求項２又は３に記載の電線カバー。
【発明の詳細な説明】
【０００１】
【発明の属する技術分野】
本発明は、電線が風圧から受ける荷重を軽減することのできる電線カバーに関するものである。
【０００２】
【従来の技術】
屋外の電線を鉄塔間を架空布設する場合は、布設する本数が多くなると、布設電線の荷重は大きくなる。それに加え、強風を受けると、風から受ける風圧による影響は、布設電線の荷重になって加算される。
【０００３】
また、屋外の電線を鉄塔間を架空布設する場合、布設する本数が増えなくても電線外径が大きくなると、布設電線の荷重は大きくなる。それに加え、強風を受けると、電線外径が大きい分風から受ける風圧による影響は、布設電線の荷重に加算されることになる。
【０００４】
そこで、従来、図６に示すように、導体３３を被覆する絶縁体３２の表面に、導体３３の長手方向に沿って複数の溝３１を設け、絶縁体３２の表面に凹凸を形成し、矢印３４の方向に風が吹いた際に、この風による風圧荷重を低減しようという低風圧電線が提案されている（例えば、特許文献１参照。）。
【０００５】
【特許文献１】
特許第２９５２４８０号公報（第４―５頁、第１図）
【０００６】
【発明が解決しようとする課題】
しかしながら、この特許文献１に示す如き図６の低風圧電線３０は、矢印３４に示すように低風圧電線３０の前方から風が吹くと、低風圧電線３０の近傍に吹く風は、低風圧電線３０の表面で摩擦を起こしながら低風圧電線３０の後方に吹き抜ける。一方、低風圧電線３０と離れた箇所を吹く風は、低風圧電線３０の表面で摩擦を起こすことなく低風圧電線３０の後方に吹き抜ける。このように、低風圧電線３０の近傍を通過する風と、それよりも外側を通過する風との速度の違いにより、矢印３５に示す如き電線の後方に渦、いわゆるカルマン渦が発生していた。このカルマン渦が発生すると、低風圧電線３０の前方よりも低風圧電線３０の後方の気圧が低くなり、この気圧の差によって低風圧電線３０に風圧荷重が掛かり、低風圧電線３０が気圧の低い方向（後方）に引っ張られるという問題があった。
【０００７】
また、この特許文献１に示す如き図６の低風圧電線３０は、電線を風圧荷重を受けやすい箇所に布設するために風圧荷重対策用として新たに製造して布設しなければならなかったので、すでに設置されている電線を低風圧処理する際は、従来布設されていた電線を取り外して、新たに低風圧電線３０を製造して、この低風圧電線３０を布設する作業を行わなければならず、電線を風圧荷重から避けるための作業が大掛かりで、作業性がよくなかった。また、電線を低風圧処理するために、新たに低風圧電線を製造しなくてはならなかったので、電線を風圧荷重から避けるためのコストがかかるという問題があった。
【０００８】
さらに、この特許文献１に示す如き図６の低風圧電線３０は、絶縁体３２の表面に複数の溝３１が設けられていたので、この溝３１に塵や埃等の異物が付着して溝３１が部分的に埋まってしまうことがあり、この溝３１が埋まってしまうと、低風圧電線３０が風圧荷重を受けた際に、安定した低風圧の効果が得られないという問題があった。
【０００９】
本発明の目的は、カルマン渦の発生を低減させて電線が受ける風圧荷重を小さくすることができ、既存の電線に容易に着脱することのできる電線カバーを提供することにある。
【００１０】
【課題を解決するための手段】
上記目的を達成するために、請求項１に記載の電線カバーは、筒状に形成され、筒方向に対して直角な断面形状が流線型状に形成してなり、電線に回転自在に取り付けるものである。
このように構成することにより、請求項１に記載の発明によると、電線の周囲に風が吹いた際に、電線を包被する電線カバーが風圧に押されて風の流れる方向に回転することにより、電線に掛かる風圧荷重を低減させることが可能となり、電線を低風圧化させることが可能となる。
【００１１】
上記目的を達成するために、請求項２に記載の電線カバーは、前記電線カバーは、電線に覆い被せる大径部と、先端が尖って形成される鋭角部とからなり、前記大径部の内径が装着する電線の外径と略同一の径にしたものである。
このように構成することにより、請求項２に記載の発明によると、電線を包被する電線カバーが風圧に押されて風の流れる方向に回転することにより、電線カバーの形状に沿って風が流れ、電線に掛かる風圧荷重を低減させることができる。
【００１２】
上記目的を達成するために、請求項３に記載の電線カバーは、前記電線カバーの鋭角部は、該鋭角部を形成する２つの側面が開閉自在に接合して構成したものである。
このように構成することにより、請求項３に記載の発明によると、鋭角部を開いて電線カバーを電線に取付けすることができるので、電線の布設後に容易に電線カバーを取付けることができ、電線を容易に低風圧処理することが可能となる。
【００１３】
上記目的を達成するために、請求項４に記載の電線カバーは、前記電線カバーの大径部の前記鋭角部と反対方向には、該電線カバーの筒方向全域に鋭角突起を形成したものである。
このように構成することにより、請求項４に記載の発明によると、鋭角突起が風の吹く向きと対向する向きとなることで、電線カバーの上下に容易に風を振り分けることができ、鋭角突起に鳥が止まると回転するので、電線の鳥害防止をすることができるようになる。
【００１４】
【発明の実施の形態】
以下、本発明に係る低風圧電線の実施の形態について説明する。
図１は、本発明に係る電線カバーの第１の実施の形態を示す斜視図、図２は、図１の断面図である。
【００１５】
図１には、本発明に係る電線カバーの斜視図が示されている。また、図２には、本発明に係る電線カバーの端面図が示されていて、この電線カバーを取付ける電線が仮想線で示された状態となっている。
【００１６】
図において、１は電線カバーであって、中空内部２を有する筒状に形成されていて、断面形状が流線型状となっている。この電線カバー１には、大径部３が形成されている。この大径部３は、断面形状が略半円状に形成されていて、図２において仮想線で示す電線４の外径と略同一の径となっている。また、この電線カバー１は、鋭角部５を有している。本実施の形態において、この鋭角部５は、前記大径部３と対向する位置に設けられた角状の箇所である。そして、この大径部３と該鋭角部５との間には、側面６が設けられている。この側面６は平板状に形成されていて開閉自在に形成されている。前記鋭角部５は、この側面６が２つ接合することによって形成されている。
【００１７】
また、この電線カバー１は、中空内部２の大径部３に電線４を挿通させることが可能となっていて、この中空内部２に電線４を挿通させると、電線カバー１が電線４を軸として該電線４の円周方向に回転自在に取付けられるようになっている。
【００１８】
この電線カバー１の材料は、軽量で耐久性に優れ、摩擦の少ないものを使用することが望ましい。この電線カバー１の材料としては、例えばポリプロピレン（ＰＰ）や、アクリロニトリル―ブタジエン―スチレン共重合体（ＡＢＳ）等の樹脂を材料として使用することができる。また、この電線カバー１の厚みは、包被する電線４の外径の３〜５％程度の厚みであることが望ましい。そして、このような電線カバー１は、射出成形によって製造されるようになっている。
【００１９】
本実施の形態において、この大径部３は、取付ける電線４の外径に合わせた内径に形成される。例えば、電線４の外径が２０ｍｍ〜２４ｍｍである場合は、使用する電線カバー１の大径部３の内径を２５ｍｍとし、電線４の外径が２５ｍｍ〜２９ｍｍである場合には、使用する電線カバー１の大径部３の内径は３０ｍｍとしている。すなわち、本実施の形態における大径部３の内径の大きさは、電線４の外径の大きさに範囲を設けて、この範囲に合わせて、電線４の外径よりも１ｍｍ〜５ｍｍ程度大きい内径を有するものとなっている。そして、図２に示すように、このような電線カバー１の中空内部２は、電線４を通した状態において、電線４の外周面の一部と常に接触した状態となっている。
【００２０】
続いて、この電線カバー１の鋭角部５について説明する。
この鋭角部５の角度の大きさによって、電線カバー１の側面６の大きさ（流線型に延伸する長さ）が決まるようになっている。本実施の形態においては、この鋭角部５の角度ｒは好ましくは３０°〜６０°としている。ここで、この鋭角部５の角度ｒを３０°〜６０°とするのは、鋭角部５の角度ｒを３０°よりも小さくすると、電線カバー１が風を受ける側面６の面積が大きくなってしまい、電線カバー１としての質量も増加するので、電線カバー１に風が当たっても、電線カバーの向きが変わり難くなるからである。また、鋭角部５の角度ｒを６０°よりも大きい角度とすると、電線カバー１の側面６の面積が小さくなるので、電線カバー１が電線４の形状に近くなってしまい、電線４の周囲に風が吹いた際のカルマン渦の低減効果が小さくなってしまうからである。すなわち、電線カバー１の鋭角部５の角度ｒを３０°〜６０°の範囲とすることで、電線４に電線カバー１を取り付けて、電線カバー１の側面６に風が当たった際に電線カバー１を風の流れる方向に容易に回転させることができ、かつ質量の小さい電線カバー１を得ることができる。
【００２１】
また、この鋭角部５には、接合部７が設けられている。この接合部７は、前記側面６の先端の接合箇所であって、電線カバー１の側面６の先端を離間して開くことによって、電線カバー１を電線４に取付ける（後述する）ことが可能となっている。
【００２２】
また、この電線カバー１の長手方向の長さは、電線４の弛度に合わせた適当な長さとし、例えば、包被する電線４の外径の大きさの５倍〜１０倍の長さに形成する。ここで、この電線カバー１の長手方向の長さを電線４の弛度に合わせた長さとするのは、電線４と電線カバー１とのクリアランスを保って、電線４が風を受けた際に電線カバー１が電線４の外周を容易に回転できるようにするためである。また、このような電線カバー１を、長い距離にわたって布設されている電線４に取付ける場合は、１本の電線４に対して複数個の電線カバー１を取付けてもよい。
【００２３】
図３には、本発明に係る電線カバー１の電線４への取付け方法が示されている。
まず、図３（Ａ）に示すように、取付ける電線４の外径と略同一の内径に合わせた大きさで、かつ、電線４と同一外周曲率で電線カバー１を形成させる。そして、図３（Ｂ）に示すように、電線カバー１の鋭角部５における接合部７を離間する。そして、側面６を外側方向に引っ張って、電線４が挿入できる程度の大きさまで広げて矢印方向に電線４を挿入する。そして、図３（Ｃ）に示すように、再び電線カバー１の側面６同士を近づけて接合させることによって、電線４に電線カバー１を取付けることができるようになっている。この電線カバー１は、上記のような取付け方法で電線４に取付けることができるので、既に布設されている電線にも、容易に電線カバー１を取り付けることが可能となっている。また、図示しないが、この電線カバー１は、電線カバー１の端部から電線を挿通させることによっても電線に取付けることができるようになっている。
【００２４】
図４には、本発明に係る電線カバー１が電線４に取り付けられた状態の斜視図が示されている。
図４には、電線４に取付けられた電線カバー１の動きが示されている。図において、この電線カバーは、電線４が風を受けていない状態（無風状態）が仮想線で示されていて、この電線４に風が吹いて電線カバーが移動した状態が実線で描かれている。
【００２５】
図において、電線カバー１は、電線４の長手方向に沿って取付けられていて、本実施の形態におけるこの電線カバー１の長手方向の長さは、電線４の外径の約５倍の長さとなっている。
【００２６】
この仮想線で示す電線カバー１は、電線４に回転自在に取付けられていて、先端の鋭角部５が地面の方向（図における下方向）を向いた状態となっている。このように、この電線カバー１は、布設された電線４が風を受けていない状態（無風状態）の時には、電線カバー１の自重によって先端の鋭角部５が常に地面の方向を向いた状態となっている。
【００２７】
そして、この仮想線で示す電線カバー１に矢印８に示す方向に風が吹くと、この風の吹く方向に合わせて回転するようになっている。本実施の形態においては、仮想線で示す電線カバー１が、実線で示す電線カバー１’の位置に回転するようになっている。
【００２８】
図において、電線４の周囲には矢印８に示す方向に風が吹いている状態となっている。この電線４に対して、矢印８方向に風が吹くと、この風が電線４の下方（矢印９方向）と上方（矢印１０方向）とに分かれて流れるようになっている。図において、この矢印９に示す電線４の下方を流れる風は、地面方向を向いた電線カバー１の側面６を押し上げようとする。すると、電線カバー１がこの矢印９方向の風の流れを受けて、矢印Ｘで示すように風の流れに沿って電線４の後方に回転する。そして、この矢印９方向の風は、回転した電線カバー１’の先端を通過していく。また、これと同時に矢印１０に示す電線４の上方を流れる風も電線カバー１’の上方を通過していく。
【００２９】
このように、電線４に取付けられた電線カバー１が風の吹く方向に合わせて回転するので、電線４の周囲に風が吹いたときに、図における矢印９，１０に示すように、流線型の電線カバー１の形状に合わせて風が電線４の上下をスムーズに流れるようになって、電線４の後方においてカルマン渦が発生し難くなり、電線４が受ける風圧荷重を低減させることができるようになっている。
【００３０】
続いて、本発明に係る電線カバーの第２の実施の形態について説明する。
図５は、本発明に係る電線カバーの第２の実施の形態を示す斜視図である。なお、本実施の形態において、前記第１の実施の形態と同様の構成のものには同一の符号を使用して説明する。
【００３１】
図５には、本発明に係る電線カバーが電線に取付けられた状態が示されている。この電線カバー１１は、本発明に係る電線カバーの第１の実施の形態における電線カバー１の鋭角部５に対向する位置にも角部が設けられているものである。なお、図において、仮想線で示す電線カバー１１は、電線が風を受けていない状態（無風状態）であって、実線で示す電線カバー１１’は、電線の周囲に風が吹いている状態である。
【００３２】
この電線カバー１１は、前記電線カバー１と同様に中空内部１２を有する筒状に形成されていて、流線型状に形成されている。
【００３３】
本実施の形態において、この電線カバー１１は、図１ないし図４における電線カバー１の鋭角部５に対向する位置に鋭角突起１４を設けて形成されている。この電線カバー１１は、鋭角部１３と鋭角突起１４との間に大径部１５が設けられた紡錘状に形成されている。
【００３４】
本実施の形態において、鋭角部１３は、本発明の第１の実施の形態の電線カバー１の鋭角部５と同様の構成となっている。この鋭角部１３は鋭角となっていて、この鋭角部１３の角度ｒの大きさによって電線カバー１１の鋭角部１３と大径部１５との間の側面１６の大きさが決まるようになっている。本実施の形態において、この鋭角部１３の角度ｒは、前記第１の実施の形態の鋭角部５と同様の理由から好ましくは３０°〜６０°としている。
【００３５】
また、本実施の形態において、この鋭角部１３に対向する位置には、鋭角突起１４が設けられている。この鋭角突起１４は、前記鋭角部１３の反対側に設けられていて、突起形状に形成されているものであって、その角度ｒ’は、前記鋭角部１３の角度ｒよりも大きい角度となっている。ここで、この鋭角突起１４の角度ｒ’を鋭角部１３の角度ｒよりも大きくするのは、鋭角突起１４の角度ｒ’を鋭角部１３の角度ｒよりも大きくすることによって、側面１７を側面１６よりも常に小さく保つためである。この側面１７の大きさを側面１６の大きさよりも小さく保つことで、側面１６が側面１７よりも大きくなるので、電線カバー１１の鋭角部１３が鋭角突起１４よりも重くなり、図における仮想線で示すように、電線４が無風状態のときに、鋭角部１３が自重によって常に地面方向を向いた状態となるようになっている。
【００３６】
そして、このような鋭角部１３と鋭角突起１４との間には、大径部１５が形成されている。この大径部１５は、鋭角部１３と鋭角突起１４との間に曲面状に形成されている。この大径部１５の円周曲率は、電線カバー１１に挿通する電線４の円周曲率と略同一となっている。ここで、この電線カバー１１の中空内部１２の最大内径は、本発明の第１の実施の形態と同様に、電線４の外径に合わせた内径に形成されるようになっていて、例えば、電線４の外径よりも１ｍｍ〜５ｍｍ程度大きい内径としている。
【００３７】
また、図において、電線カバー１１は、本発明の第１の実施の形態と同様に、電線４の長手方向に沿って取付けられていて、電線４の外径の約５倍の長さとなっている。
【００３８】
また、この電線カバー１１は、電線４に回転自在に取付けられている。図において仮想線で示す電線カバー１１は、鋭角部１３が地面の方向（図における下方向）を向いていて、鋭角突起１４が天の方向（図における上方向）を向いている状態となっている。このように、この電線カバー１１は、鋭角突起１４までの側面１７の長さよりも、鋭角部１３までの側面１６の長さの方が長く形成されているので、前記鋭角部１３の方が重くなって、布設された電線４が風を受けていない状態（無風状態）の時には、自重によって鋭角部１３が常に地面の方向を向いた状態となっている。
【００３９】
そして、このような仮想線で示す電線カバー１１に、矢印１８方向に風が吹くと、電線カバー１１が実線で示す電線カバー１１’の位置まで移動するようになっている。
【００４０】
図において、電線４の周囲には矢印１８に示す方向に風が吹いている状態となっている。この矢印１８方向に風が吹くと、この風が電線４にあたって、電線４の下方（矢印１９方向）と上方（矢印２０方向）とに分かれて流れるようになっている。図において、この矢印１９に示す電線４の下方を流れる風は、地面方向を向いた電線カバー１１の側面１６を押し上げようとする。すると、電線カバー１１が、この矢印１９方向の風の流れを受けて、矢印Ｘ’で示すように風の流れに沿って電線４の後方に回転する。そして、この矢印１９方向の風は、回転した電線カバー１１’の鋭角部１３を通過していくようになっている。
【００４１】
また、ここで、電線カバー１１’が矢印１８に示す風の流れ方向に回転すると、電線カバーの鋭角突起１４の先端が、風の吹く方向に対向する向きとなる。このように、この鋭角突起１４が風の吹く方向に対向した向きとなることで、流線型の電線カバー１１’が電線４に吹く風を下方（矢印１９方向）と上方（矢印２０方向）とに流し易くなり、電線４に風圧荷重が掛かり難くできるようになっている。
【００４２】
そして、このような実線で示す電線カバー１１’は、電線４の周囲が再び無風状態となると、電線カバー１１’の鋭角部１３が再び地面の方向を向く（仮想線で示す電線カバー１１の位置に戻る）ようになっている。
【００４３】
このように、電線４の周りに吹く風の方向に合わせて、電線４に取付けられた電線カバー１１が回転するので、図における矢印１９，２０に示すように、電線４の周囲に風が吹いたときに、風の流れる方向に合わせて電線カバー１１が動いて、電線カバー１１’の上下を風がスムーズに流れるようになり、電線４の後方においてカルマン渦が発生し難くなり、電線４が受ける風圧荷重を低減させることができるようになっている。
【００４４】
また、本実施の形態における電線カバー１１には、鋭角突起１４が設けられているので、電線４の周囲が無風状態であっても、電線カバー１１の鋭角突起１４の上に鳥などが止まると、この電線カバー１１が回転するようになっている。このため、電線カバー１１の上には鳥が止まることができないので、電線４の鳥害防止をすることができるようになっている。
【００４５】
なお、ここで、本実施の形態における電線カバー１１を電線に取付ける方法は、前記本発明の第１の実施の形態と同様に、電線カバーの鋭角部に切込みを設けて、この切込みを離間して電線カバーを電線に取付けることが可能であるので、本実施の形態においては、説明を省略する。
【００４６】
【発明の効果】
本発明は、以上説明したように構成されているので、以下に記載されるような効果を奏する。
【００４７】
請求項１に記載の発明によれば、電線カバーを筒状に形成して、断面形状が流線型状の電線カバーを電線に回転自在に取り付けたので、電線の周囲に風が吹いた際に、電線を包被する電線カバーが風圧に押されて風の流れる方向に回転し、電線を低風圧化させることが可能な電線カバーを得ることができる。
【００４８】
請求項２に記載の発明によれば、前記電線カバーを電線に覆い被せる大径部と先端が尖って形成される鋭角部で構成してなるので、電線を包被する電線カバーが風圧に押されて風の流れる方向に回転することにより、電線カバーの形状に合わせて、風が電線の周囲をスムーズに流れるようになり、電線の後方でカルマン渦が発生するのを抑えることができるようになる。これによって、電線が受ける風圧荷重を低減させることが可能となり、電線を低風圧化させることが可能となる。また、電線の周囲に吹いている風の向きに合わせて電線カバーが回転するので、電線が着雪するのを防ぐことが可能となる。
【００４９】
請求項３に記載の発明によれば、前記電線カバーの鋭角部は、該鋭角部を形成する２つの側面が開閉自在に接合してなるので、鋭角部を開いて電線カバーを電線に取付けすることができ、電線の布設後に容易に電線カバーを取付けることが可能で、電線を容易に低風圧処理することが可能となる。
【００５０】
請求項４に記載の発明によれば、前記電線カバーの大径部の前記鋭角部と反対方向に該電線カバーの筒方向全域に鋭角突起を形成したので、電線カバーの周囲を流れる風がスムーズに流れて、電線に掛かる風圧荷重を低減すると共に、鋭角突起に鳥が止まると回転するので、電線の鳥害防止をすることができるようになる。
【図面の簡単な説明】
【図１】本発明に係る電線カバーの第１の実施の形態を示す斜視図である。
【図２】本発明に係る電線カバーの第１の実施の形態を示す第１図の断面図である。
【図３】本発明に係る電線カバーを電線に取付ける方法を示す概念図である。
【図４】本発明に係る電線カバーの第１の実施の形態における電線カバーの動きを示す斜視図である。
【図５】本発明に係る電線カバーの第２の実施の形態における電線カバーの動きを示す斜視図である。
【図６】従来の低風圧電線を示す斜視図である。
【符号の説明】
１，１１……………………電線カバー
３，１５……………………大径部
４……………………………電線
５……………………………鋭角部
６，１６……………………側面
１３…………………………鋭角部
１４…………………………鋭角突起
【図１】
2004206982.tif 000003
【図２】
2004206982.tif 000004
【図３】
2004206982.tif 000005
【図４】
2004206982.tif 000006
【図５】
2004206982.tif 000007
【図６】
2004206982.tif 000008